(57)【要約】      （修正有）【課題】マスクを外した状態でマスクの本体部の内面が露出しない状態を維持できるマスク保持具を提供する。【解決手段】マスク保持具の一例であるマスクチェーン３０は、紐状の本体部３１と、本体部３１の両端のそれぞれに設けられるマスク取り付け部３２Ａ、３２Ｂと、それぞれのマスク取り付け部３２Ａ、３２Ｂの近傍に、それぞれマグネット３３Ａ、３３Ｂとを有する。マグネット３３Ａおよびマグネット３３Ｂは、互いに対向するように配置されており、異なる極性を有しており、磁力によってマグネット３３Ａとマグネット３３Ｂとをくっつけることができる。【選択図】図５
0003230681.tif 000002
【実用新案登録請求の範囲】
【請求項１】
紐状の本体部と、
前記本体部の両端のそれぞれに設けられるマスク取り付け部と、
それぞれの前記マスク取り付け部の近傍に、互いに着脱自在とされる着脱部とを有する
マスク保持具。
【請求項２】
前記着脱部は、マグネットにより構成されている
請求項１に記載のマスク保持具。
【請求項３】
一方の前記マスク取り付け部は、マスクの本体部における下側左のコーナー付近に取り付けられ、他方の前記マスク取り付け部は、前記マスクの本体部における下側右のコーナー付近に取り付けられる
請求項１または２に記載のマスク保持具。
【請求項４】
マスクおよびマスク保持具を有し、
前記マスクは、着用時において下側に位置する左右のコーナー付近のそれぞれに、マスク保持具取り付け部を有し、
前記マスク保持具は、
紐状の本体部と、
前記本体部の両端のそれぞれに設けられるマスク取り付け部と、
それぞれの前記マスク取り付け部の近傍に、互いに着脱自在とされる着脱部とを有し、
一方の前記マスク取り付け部が一方の前記マスク保持具取り付け部に取り付け可能とされており、他方の前記マスク取り付け部が他方の前記マスク保持具取り付け部に取り付け可能とされている
マスクセット。
【考案の詳細な説明】
【技術分野】
【０００１】
本考案は、マスクを保持するマスク保持具、および、マスクセットに関する。
【背景技術】
【０００２】
近年、花粉，ウイルス，粉塵などの有害物質が体内に入ることを防ぐ目的や衛生管理の目的から、マスクを使用する人が増えている。係る傾向は、新型コロナウイルスの世界的流行を契機としてますます顕著になってきている。マスクの使用の増加に伴い、マスクの使用の利便性を向上させる様々なグッズが提案されている。例えば、下記の特許文献１には、マスクの耳かけ部ができる限り耳に当たらないようにマスクを保持するマスク保持具が記載されている。
【０００３】
マスク保持具の他の例として、マスクチェーンと称されるマスク保持具が知られている。図１Ａおよび図１Ｂを参照しつつ、従来のマスクチェーンの一例について説明する。図１Ａは、人物１がマスク２を着用した状態を示している。マスク２は、人物１の鼻や口元を覆う本体部２Ａと、本体部２Ａと一体的に形成されている耳かけ部２Ｂを有している。図１Ａでは、本体部２Ａの一方の側の耳かけ部２Ｂが示されているが、他方の側にも耳かけ部２Ｂが設けられている。マスクチェーン３は、概略的には紐状の形状を成す、金属製の部材である。図１Ａに示すように、マスクチェーン３の一端はフック等の留め具を用いて一方の耳かけ部２Ｂに取り付けられる。そして、マスクチェーン３は、人物１の首の後方を通るように引き回され、その他端が留め具を用いて他方の耳かけ部２Ｂに取り付けられる。なお、以下の説明では、マスク２の本体部２Ａのうち、人物１の口元や鼻周辺の皮膚と接触する側の面を内面、内面と反対側である外側の面を外面と適宜称する。説明の理解を容易とするために、図中、本体部２Ａの外面にはハッチングを付し、本体部２Ａの内面にはハッチングを付さないようにしている。
【０００４】
ところで、マスクの利用時にはマスクを外す場合がある。例えば、マスクを外して飲食する必要がある場合や、自身の周囲に他人がいない若しくは少なく、マスクを着用する必要がない場合等である。このような場合、マスクチェーン３を使用することにより、図１Ｂに示すように、マスク２を胸元付近にぶら下げることができる。すなわち、マスク２を机上の平面等に置く必要もなく、マスク２を落としてしまう虞もないため、マスク２を衛生的に取り扱うことができる。
【先行技術文献】
【特許文献】
【０００５】
【特許文献１】実用新案登録第３２０００５０号公報
【考案の概要】
【考案が解決しようとする課題】
【０００６】
しかしながら、従来のマスクチェーン３では、図１Ｂに示すように、マスク２を外して胸元付近にぶら下げた状態で、本体部２Ａの内面が露出してしまうという問題があった。このため、本体部２Ａの内面が外気に触れることで、空気中を漂う花粉やウイルス、飛沫等が本体部２Ａの内面、すなわち、着用者の皮膚に触れる箇所に付着してしまう虞が高まり、衛生的に芳しくないという問題があった。また、マスク２が開いた状態でぶら下げられるため、美観的に見てだらしない印象を与えてしまうという問題があった。
【０００７】
そこで本考案は、従来のマスク保持具の機能を損なうこと無く、マスクを着用していない状態においてもマスクの本体部の内面を露出させないようにすることができるマスク保持具、および、当該マスク保持具を含むマスクセットを提供することを目的の一つとする。
【課題を解決するための手段】
【０００８】
上記課題を解決するために、本考案は、
紐状の本体部と、
本体部の両端のそれぞれに設けられるマスク取り付け部と、
それぞれのマスク取り付け部の近傍に、互いに着脱自在とされる着脱部とを有する
マスク保持具である。
【０００９】
また、本考案は、
マスクおよびマスク保持具を有し、
マスクは、着用時において下側に位置する左右のコーナー付近のそれぞれに、マスク保持具取り付け部を有し、
マスク保持具は、
紐状の本体部と、
本体部の両端のそれぞれに設けられるマスク取り付け部と、
それぞれのマスク取り付け部の近傍に、互いに着脱自在とされる着脱部とを有し、
一方のマスク取り付け部が一方のマスク保持具取り付け部に取り付け可能とされており、他方のマスク取り付け部が他方のマスク保持具取り付け部に取り付け可能とされている
マスクセットである。
【考案の効果】
【００１０】
本考案の実施形態によれば、従来のマスク保持具の機能を損なうこと無く、マスクを着用していない状態においてもマスクの本体部の内面を露出させないようにすることができる。なお、本明細書において例示された効果により本考案の内容が限定して解釈されるものではない。
【図面の簡単な説明】
【００１１】
【図１】図１Ａおよび図１Ｂは、従来のマスクチェーンの一例を説明するための図である。
【図２】図２Ａは一実施形態に係るマスクを説明するための図であり、図２Ｂは一実施形態に係るマスクチェーンを説明するための図である。
【図３】図３Ａおよび図３Ｂは、一実施形態に係るマスクチェーンの部分拡大図である。
【図４】図４は、一実施形態に係るマスクチェーンの使用状態を示す図である。
【図５】図５Ａおよび図５Ｂは、一実施形態に係るマスクチェーンの使用例等を説明するための図である。
【考案を実施するための形態】
【００１２】
以下、本考案の一実施形態等について図面を参照しながら説明する。なお、説明は以下の順序で行う。
＜一実施形態＞
＜変形例＞
但し、以下に示す実施形態等は、本考案の技術思想を具体化するための構成を例示するものであって、本考案は例示された構成に限定されるものではない。
【００１３】
始めに、図２Ａを参照しつつ、一実施形態に係るマスク（マスク２０）について説明する。図２Ａに示すように、マスク２０は、概略的には、着用者の口元や鼻を覆う本体部２１と、マスク２０の着用者からみて左側の耳にかけられる耳かけ部２５Ａと、マスク２０の着用者からみて右側の耳にかけられる耳かけ部２５Ｂとを有している。以下、マスク２０の詳細について説明する。
【００１４】
本体部２１は、例えば、熱可塑性合成樹脂で形成された複数の不織布やガーゼを重ね合わせて形成されている。本体部２１は、着用時に外側に露出する面である外面２１Ａと、着用時に内側に位置し着用者の皮膚に触れる内面２１Ｂとを有している。上述したマスク２と同様、本体部２１の外面２１Ａにはハッチングを付し、本体部２１の内面２１Ｂにはハッチングを付さないようにしている。
【００１５】
本体部２１は、概略的には、４つのコーナーを有する略長方形状の形状を有している。４つのコーナーは、着用時に着用者からみて左側上部となるコーナー２２Ａと、左側下部となるコーナー２３Ａと、右側上部となるコーナー２２Ｂと、右側下部となるコーナー２３Ｂとを含む。左側下部のコーナー２３Ａ付近には、挿通部２４Ａが設けられている。挿通部２４Ａは、紐等を用いて形成された円形状の小型の輪である。挿通部２４Ａは、マスク２０の着用者の肌に触れ得るため、金属よりも繊維であることが好ましい。図２Ａに示すように、挿通部２４Ａには、耳かけ部２５Ａが挿通される。また、右側下部のコーナー２３Ｂ付近には、挿通部２４Ｂが設けられている。挿通部２４Ｂは、紐等を用いて形成された円形状の小型の輪である。挿通部２４Ｂは、マスク２０着用者の肌に触れ得るため、金属よりも繊維であることが好ましい。図２Ａに示すように、挿通部２４Ｂには、耳かけ部２５Ｂが挿通される。挿通部２４Ａ，挿通部２４Ｂが、マスク保持具取り付け部の一例に対応している。
【００１６】
紐状の耳かけ部２５Ａの一端は、本体部２１の左側上部のコーナー２２Ａ付近に縫い込まれている。一方で、耳かけ部２５Ａの他端は、本体部２１に縫い込まれずに自由端とされている。この耳かけ部２５Ａの他端を挿通部２４Ａに挿通した後、反対側に引き回す。そして、引き回した側を耳かけ部２５Ａが通されている長さ調整用のアジャスター２６Ａに通す。これによって、耳かけ部２５Ａの長さを調節することができる。
【００１７】
また、紐状の耳かけ部２５Ｂの一端は、本体部２１の右側上部のコーナー２２Ｂ付近に縫い込まれている。一方で、耳かけ部２５Ｂの他端は、本体部２１に縫い込まれずに自由端とされている。この耳かけ部２５Ｂの他端を挿通部２４Ｂに挿通した後、反対側に引き回す。そして、引き回した側を耳かけ部２５Ｂが通されている長さ調整用のアジャスター２６Ｂに通す。これによって、耳かけ部２５Ｂの長さを調節することができる。以上説明したように、本実施形態に係る耳かけ部２５Ａ、２５Ｂは、それぞれの長さを調節可能に構成されている。これにより、頭部の形状や大きさに関係なく、より着用者にフィットするマスクとすることができる。
【００１８】
次に、図２Ｂ、図３Ａおよび図３Ｂを参照して、本考案のマスク保持具の一例であるマスクチェーン３０について説明する。図２Ｂはマスクチェーン３０の全体図であり、図３Ａおよび図３Ｂは、図２Ｂにおける参照符号ＡＡを付した箇所（マスクチェーン３０の両端付近）を拡大した部分拡大図である。マスクチェーン３０は、紐状の本体部３１、マスク取り付け部３２Ａ，３２Ｂ、着脱部の一例であるマグネット３３Ａ，３３Ｂを有している。
【００１９】
本体部３１は、例えば、鉄やステンレス等の金属製であり、鎖状の形状を有している（図３Ａ参照）。本体部３１の両端のそれぞれには、マスク取り付け部が設けられている。具体的には、本体部３１の一端にマスク取り付け部３２Ａが設けられ、本体部３１の他端にマスク取り付け部３２Ｂが設けられている。
【００２０】
マスク取り付け部３２Ａは、マグネットやリング状の部材等を介して本体部３１の一方の端部に設けられている。係るマスク取り付け部３２Ａは、本体部３１と同様に金属製であって、リング状の形状を有している。マスク取り付け部３２Ａの一部は、内側に押し込むことができる可動部３５Ａとなっている。
【００２１】
マスク取り付け部３２Ｂは、マグネットやリング状の部材等を介して本体部３１の他方の端部に設けられている。係るマスク取り付け部３２Ｂは、本体部３１と同様に金属製であって、リング状の形状を有している。マスク取り付け部３２Ｂの一部は、内側に押し込むことができる可動部３５Ｂとなっている。
【００２２】
マグネット３３Ａは、例えば、円筒形状の形状を有しており、マスク取り付け部３２Ａの近傍にリング状の金具等を介して設けられている。また、マグネット３３Ｂは、例えば、円筒形状の形状を有しており、マスク取り付け部３２Ｂの近傍にリング状の金具等を介して設けられている。マグネット３３Ａおよびマグネット３３Ｂは、互いに対向するように配置されており、異なる極性を有している。従って、マグネット３３Ａとマグネット３３Ｂとを近づけることにより、図３Ｂに示すように、磁力によってマグネット３３Ａとマグネット３３Ｂとをくっつけることができる。
【００２３】
例えば、以上、説明したマスク２０およびマスクチェーン３０によって本考案に係るマスクセットが構成される。
【００２４】
図４は、人物１０が、マスクチェーン３０を使用してマスク２０を着用した状態を示す図である。マスク２０およびマスクチェーン３０は、例えば、以下のようにして着用される。人物１０は、マスク２０の耳かけ部２５Ａ，２５Ｂの長さを上述したように調節した後、マスク２０を着用する。
【００２５】
そして、マスクチェーン３０の一方のマスク取り付け部、例えば、マスク取り付け部３２Ａをマスク２０に取り付ける。本実施形態に係るマスク２０には、挿通部２４Ａが設けられている。この挿通部２４Ａを利用して、挿通部２４Ａにマスク取り付け部３２Ａを取り付ける。具体的には、マスク取り付け部３２Ａの可動部３５Ａを内側に付勢した状態でマスク取り付け部３２Ａを挿通部２４Ａに引っかけた後、可動部３５Ａに対する付勢状態を解除して可動部３５Ａを元の位置に戻す。これによって、マスク取り付け部３２Ａが挿通部２４Ａに取り付けられる。その後、マスクチェーン３０の本体部３１を首の後ろに引き回し、反対側のマスク取り付け部３２Ｂを、マスク取り付け部３２Ａと同様の方法により挿通部２４Ｂに取り付ける。このようにして、マスク２０にマスクチェーン３０が取り付けられる。
【００２６】
本考案に係るマスクチェーン３０によって得られる効果について、図５を参照しつつ説明する。図５Ａは、図４に示した着用中のマスク２０を外した状態を示す。マスクチェーン３０によって、従来のマスクチェーンと同様の効果を得ることができる。すなわち、マスク２０を机上の平面等に置く必要もなく、マスク２０を落としてしまう虞もないため、マスク２０を衛生的に取り扱うことができる。
【００２７】
しかしながら、図５Ａに示す状態のままでは、皮膚に触れる側であるマスク２０の内面２１Ｂが露出してしまうため非衛生的である。そこで、人物１０は、マグネット３３Ａおよびマグネット３３Ｂを近づけることで両者をくっつける。人物１０によるマグネット３３Ａとマグネット３３Ｂとを近づける操作に伴ってマスク２０が中央付近から折りたたまれる。そして、マグネット３３Ａとマグネット３３Ｂとをくっつけることによりマスク２０を折りたたむ方向への付勢力が発生し、図５Ｂに示すように、マスク２０が折りたたまれた状態が維持される。これにより、マスク２０の内面２１Ｂが露出してしまうことを防止することができ、マスク２０を外した状態であってもマスク２０を衛生的に取り扱うことが可能となる。
【００２８】
本実施形態では、本体部２１のコーナー付近に取り付けられるマスク取り付け部３２Ａ,３２Ｂの近傍にマグネット３３Ａ,３３Ｂが設けられている。このため、マグネット３３Ａ,３３Ｂをくっつけることにより、マスク２０の本体部２１を折りたたむ方向への付勢力を生じさせることができ、図５Ｂに示す状態を維持することができる。また、図５Ｂに示す状態を維持するために、内面２１Ｂにシール等を設けることも考えられるが、内面２１Ｂは着用者の皮膚に触れる面であるため、内面２１Ｂにシール等が設けられることは健康的な安全性の観点から好ましくない。しかしながら、本実施形態では皮膚に触れる内面２１Ｂに加工を施す必要がないため係る懸念は生じない。また、マスク２０の非着用時にマスク２０が折りたたまれた状態となるため、見た目もスマートにすることができる。
【００２９】
＜変形例＞
本考案の一実施形態について説明したが、本考案は上述した実施形態に限定されるものではなく、本考案の技術思想の範囲内において種々の変更が可能である。以下、変形例について説明する。
【００３０】
上述した一実施形態では、マスク保持部の一例として金属製のチェーンを用いた説明をしたが、マスク保持具の全部または一部（例えば、本体部３１）は金属に限らず、アクリル、ＡＢＳ（Acrylonitrile Butadiene Styrene）等の樹脂や皮革、繊維等によって構成されていてもよい。
【００３１】
上述した一実施形態では、着脱部の一例としてマグネットを用いて説明したが、マグネット以外、例えば、フック等でもよい。しかしながら、着脱の容易性を考慮すると、フックをひっかける操作に比べてマグネットはくっつけるだけでよいので、着脱部がマグネットであることが好ましい。
【００３２】
上述した一実施形態では、マスク取り付け部３２Ａ、３２Ｂは、マスク２０の下側左右のコーナー付近に取り付けられたが、他の箇所に取り付けられてもよい。しかしながら、マスク取り付け部３２Ａ、３２Ｂをマスク２０の上側左右のコーナー付近に取り付ける構成だと本体部３１の長さを長くする必要があり、また、本体部３１が頬付近に接触することにもなり、マスク２０の着用者が不快に感じる虞がある。また、マスク取り付け部３２Ａ,３２Ｂを耳かけ部２５Ａ,２５Ｂに取り付ける構成では、取り付け位置が不安定になりやすく、且つ、マグネット３３Ａおよびマグネット３３Ｂをくっつけた際に、マスク２０が完全に折り畳まれずに内面２１Ｂが露出し易くなる。従って、マスク取り付け部３２Ａ、３２Ｂは、マスク２０の下側左右のコーナー付近に取り付けられる構成が好ましい。
【００３３】
近年、様々な素材や形状のマスクが提案、販売されている。これらのマスクや医療用のマスクに対しても本考案を適用することができる。すなわち、本考案に係るマスク保持部が装着可能なマスクは一実施形態で例示されたマスクに限定されることはない。
【符号の説明】
【００３４】
２０・・・マスク、２１Ａ・・・外面、２１Ｂ・・・内面、２３Ａ,２３Ｂ・・・挿通部、２５Ａ,２５Ｂ・・・耳かけ部、３０・・・マスクチェーン、３１・・・本体部、３２Ａ,３２Ｂ・・・マスク取り付け部、３３Ａ,３３Ｂ・・・マグネット
【図１】
0003230681.tif 000003
【図２】
0003230681.tif 000004
【図３】
0003230681.tif 000005
【図４】
0003230681.tif 000006
【図５】
0003230681.tif 000007
【手続補正書】
【提出日】令和2年12月7日(2020.12.7)
【手続補正１】
【補正対象書類名】実用新案登録請求の範囲
【補正対象項目名】全文
【補正方法】変更
【補正の内容】
【実用新案登録請求の範囲】
【請求項１】
紐状の本体部と、
前記本体部の両端のそれぞれに設けられるマスク取り付け部と、
一方の前記マスク取り付け部の近傍に設けられる第１の着脱部と、
他方の前記マスク取り付け部の近傍に設けられる第２の着脱部と
を有し、
前記第１の着脱部と前記第２の着脱部とが、互いに着脱自在とされる
マスク保持具。
【請求項２】
前記第１の着脱部および前記第２の着脱部は、マグネットにより構成されている
請求項１に記載のマスク保持具。
【請求項３】
一方の前記マスク取り付け部は、マスクの本体部における下側左のコーナー付近に取り付けられ、他方の前記マスク取り付け部は、前記マスクの本体部における下側右のコーナー付近に取り付けられる
請求項１または２に記載のマスク保持具。
【請求項４】
マスクおよびマスク保持具を有し、
前記マスクは、着用時において下側に位置する左右のコーナー付近のそれぞれに、マスク保持具取り付け部を有し、
前記マスク保持具は、
紐状の本体部と、
前記本体部の両端のそれぞれに設けられるマスク取り付け部と、
一方の前記マスク取り付け部の近傍に設けられる第１の着脱部と、
他方の前記マスク取り付け部の近傍に設けられる第２の着脱部と
を有し、
前記第１の着脱部と前記第２の着脱部とが、互いに着脱自在とされており、
一方の前記マスク取り付け部が一方の前記マスク保持具取り付け部に取り付け可能とされており、他方の前記マスク取り付け部が他方の前記マスク保持具取り付け部に取り付け可能とされている
マスクセット。
【手続補正２】
【補正対象書類名】明細書
【補正対象項目名】０００８
【補正方法】変更
【補正の内容】
【０００８】
上述した課題を解決するために、本考案は、
紐状の本体部と、
本体部の両端のそれぞれに設けられるマスク取り付け部と、
一方のマスク取り付け部の近傍に設けられる第１の着脱部と、
他方のマスク取り付け部の近傍に設けられる第２の着脱部と
を有し、
第１の着脱部と第２の着脱部とが、互いに着脱自在とされる
マスク保持具である。
【手続補正３】
【補正対象書類名】明細書
【補正対象項目名】０００９
【補正方法】変更
【補正の内容】
【０００９】
また、本考案は、
マスクおよびマスク保持具を有し、
マスクは、着用時において下側に位置する左右のコーナー付近のそれぞれに、マスク保持具取り付け部を有し、
マスク保持具は、
紐状の本体部と、
本体部の両端のそれぞれに設けられるマスク取り付け部と、
一方のマスク取り付け部の近傍に設けられる第１の着脱部と、
他方のマスク取り付け部の近傍に設けられる第２の着脱部と
を有し、
第１の着脱部と第２の着脱部とが、互いに着脱自在とされており、
一方のマスク取り付け部が一方のマスク保持具取り付け部に取り付け可能とされており、他方のマスク取り付け部が他方のマスク保持具取り付け部に取り付け可能とされている
マスクセットである。
【手続補正４】
【補正対象書類名】明細書
【補正対象項目名】００１８
【補正方法】変更
【補正の内容】
【００１８】
次に、図２Ｂ、図３Ａおよび図３Ｂを参照して、本考案のマスク保持具の一例であるマスクチェーン３０について説明する。図２Ｂはマスクチェーン３０の全体図であり、図３Ａおよび図３Ｂは、図２Ｂにおける参照符号ＡＡを付した箇所（マスクチェーン３０の両端付近）を拡大した部分拡大図である。マスクチェーン３０は、紐状の本体部３１、マスク取り付け部３２Ａ，３２Ｂ、第１の着脱部の一例であるマグネット３３Ａ、第２の着脱部の一例であるマグネット３３Ｂを有している。
【手続補正５】
【補正対象書類名】明細書
【補正対象項目名】００３１
【補正方法】変更
【補正の内容】
【００３１】
上述した一実施形態では、第１および第２の着脱部の一例としてマグネットを用いて説明したが、マグネット以外、例えば、フック等でもよい。しかしながら、着脱の容易性を考慮すると、フックをひっかける操作に比べてマグネットはくっつけるだけでよいので、第１および第２の着脱部がマグネットであることが好ましい。